(57)【要約】【解決手段】本発明の室内環境改善システムは、ミルラ樹脂からアルコール及び又は水で抽出して得られるミルラ抽出液を室内に噴霧又は散布することを特徴としている。【効果】本発明の室内環境改善システムは、室内におけるシックハウス症候群の原因となるホルムアルデヒド等の有害成分を除去し室内環境を改善する効果を有している。  またさらに、室内の多様な臭気成分に対して優れた消臭効果を有している。また、室内に寄生するノミやダニなどの害虫に対して優れた忌避効果を有している。  また、本発明の室内環境改善システムは、防腐剤としての作用も有する天然素材由来の物質であるミルラの抽出物を噴霧することから副作用がなく安全に使用することができる。【選択図】  なし【特許請求の範囲】
【請求項１】
ミルラ樹脂からアルコール及び又は水で抽出して得られるミルラ抽出液を室内に噴霧又は散布することを特徴とする室内環境改善システム。
【請求項２】
ミルラ抽出液の濃度がミルラ樹脂由来の成分として０．００１重量％以上含有することを特徴とする請求項１に記載の室内環境改善システム。
【請求項３】
ミルラ抽出液が木酢液、緑茶エキス、ハーブよりなる群から選ばれる１種以上を含有することを特徴とする請求項１又は２に記載の室内環境改善システム。
【請求項４】
室内の臭気成分及び又は有害成分の除去目的に使用することを特徴とする請求項１〜３のいずれかに記載の室内環境改善システム。
【請求項５】
室内の臭気成分及び又は有害成分がホルムアルデヒド、アセトアルデヒド、硫化水素、メチルメルカプタン、アンモニア、酢酸から選択される１種又は２種以上であることを特徴とする請求項４に記載の室内環境改善システム。
【請求項６】
室内の害虫忌避の目的に使用することを特徴とする請求項１〜３のいずれかに記載の室内環境改善システム。
【請求項７】
噴霧又は散布が加湿器、スプレー噐、加熱蒸散噐等のミスト製造噐により行うことを特徴とする請求項１〜６のいずれかに記載の室内環境改善システム。
【発明の詳細な説明】
【技術分野】
【０００１】  本発明は、ミルラ樹脂からアルコール及び又は水で抽出して得られるミルラ抽出液を室内に噴霧又は散布して室内の環境を改善する室内環境改善システムに関する。詳しくは、本発明は、ミルラ樹脂からアルコール及び又は水で抽出して得られるミルラ抽出液を加湿器、スプレー噐、加熱蒸散噐等のミスト製造噐により室内に噴霧又は散布して室内の環境を改善する室内環境改善システムに関する。
【背景技術】
【０００２】  ミルラはカンラン科の植物であり、その樹脂は香料として用いられる他、防腐剤としての効果を有すること、また食品添加物として承認されていることが知られており、特許文献１には、ミルラの抽出物を、養毛・育毛剤の成分として用いることが提案されている。【０００３】  本発明者らは、このようなミルラ樹脂のエタノール抽出成分が安全で、かつ、即効性のある消臭効果を有することを見出し、液状消臭剤の特許出願を行った。（特許文献２参照）【０００４】  ところで現在の住宅環境は、ホルムアルデヒドを使用した合板、防腐剤を使用した建築材料、殺虫剤を含有した防虫加工紙や畳等が使用されていることから、これらに含まれるホルムアルデヒド等の有害成分の影響でシックハウス症候群が起こったり化学物質過敏症の問題が起こったりしている。【０００５】  また、ペットを室内で飼う現在の環境では、冬場でもノミ、ダニ等の害虫が発生し各種アレルギーの要因になるという問題が起こっている。また、共稼ぎ所帯や独身者の室内は、日中換気や通気を行わないためカビが発生しカビ臭の問題が起こったり、生ごみ臭、ペット臭の問題が起こったりしている。【０００６】  上述のような室内環境の悪化は、単に住む人に不快感を与えるだけでなく、健康を阻害するという問題がある。【０００７】  このような状況から、シックハウス症候群や化学物質過敏症を解消し、また悪臭やノミ、ダニ等の害虫の発生を解消し、快適な室内環境に改善する室内環境改善システムが望まれていた。【０００８】  特許文献３には、過酸化物の水溶液を室内に噴霧することにより、シックハウス症候群や化学物質過敏症の原因となる物質を除去し室内空気を浄化する方法が提案されている。【０００９】  また、特許文献４には、花粉症等のアレルギー症を抑制する物質、例えばカミモミル油等の植物の圧搾物質や抽出物質を室内空気中に供給することが記載されている。【００１０】  また、特許文献５には、植物精油によるリラクリゼイションを得るために、所定の空間における植物精油の濃度を所定濃度に調節するための方法が記載されている。【００１１】  また、特許文献６には、ヒノキオール、ヒバ油、カッシア油、ローズマリーなどを使用するペット用害虫忌避剤が提案されており、特許文献７には、クエン酸、リンゴ酸、酒石酸、コハク酸などの有機酸又はそのアルカリ金属塩を使用するペット用害虫忌避剤が提案されている。【００１２】  また、特許文献８にはジャスモン酸系化合物とデルタラクトン類を消臭成分とした消臭剤が提案されており、特許文献９には、３ｄ遷移金属のハロゲン化物塩を含有する消臭剤が提案されている。【００１３】  しかしながら、これらの特許文献は個々の環境に対する効能や効果を有することしか提案されてなく、複合的な環境の場合には多種類の薬剤を使用せねばならず、また、多種類の薬剤による副作用が心配であった。【００１４】  本発明者は、このような状況に鑑みて鋭意研究した結果、ミルラ樹脂のアルコール及び又は水で抽出した抽出成分がシックハウス症候群の原因となる有害成分を除去すること、また、室内の消臭、害虫忌避に効果を有していること、さらに、直接使用できる安全性を有していること、かつ、即効性のある効果を���ね備えていることを見出し本発明を完成するに至った。
【特許文献１】    特開２００１−１３９４３６号公報
【特許文献２】    特願２００３−３６３６１６号公報
【特許文献３】    特開２００１−１７０１４７号公報
【特許文献４】    特開平７−１２３７１号公報
【特許文献５】    特開２０００−２２９１２１号公報
【特許文献６】    特開平１１−１５１０５１号公報
【特許文献７】    特開２００１−０３１５０５号公報
【特許文献８】    特開２００２−２５３６５１号公報
【特許文献９】    特開２００２−０８５５３７号公報
【発明の開示】
【発明が解決しようとする課題】
【００１５】  本発明は、室内におけるシックハウス症候群の原因となるホルムアルデヒド等の有害成分を除去するとともに、室内のダニ、ノミ等の害虫忌避や消臭を安全に実施することができる室内環境改善システムを提供することを課題とする。
【課題を解決するための手段】
【００１６】  本発明の第１は、ミルラ樹脂からアルコール及び又は水で抽出して得られるミルラ抽出液を室内に噴霧又は散布することを特徴とする室内環境改善システムに関する。【００１７】  第２は、ミルラ抽出液の濃度がミルラ樹脂由来の成分として０．００１重量％以上含有することを特徴とする第１に記載の室内環境改善システムに関する。【００１８】  第３は、ミルラ抽出液が木酢液、緑茶エキス、ハーブよりなる群から選ばれる１種以上を含有することを特徴とする第１又は２に記載の室内環境改善システムに関する。【００１９】  第４は、室内の臭気成分及び又は有害成分の除去目的に使用することを特徴とする第１〜３のいずれかに記載の室内環境改善システムに関する。【００２０】  第５は、室内の臭気成分及び又は有害成分がホルムアルデヒド、アセトアルデヒド、硫化水素、メチルメルカプタン、アンモニア、酢酸から選択される１種又は２種以上であることを特徴とする第４に記載の室内環境改善システムに関する。【００２１】  第６は、室内の害虫忌避の目的に使用することを特徴とする第１〜３のいずれかに記載の室内環境改善システムに関する。【００２２】  第７は、噴霧又は散布が加湿器、スプレー噐、加熱蒸散噐等のミスト製造噐により行うことを特徴とする第１〜６のいずれかに記載の室内環境改善システムに関する。
【発明の効果】
【００２３】  本発明の室内環境改善システムは、室内におけるシックハウス症候群の原因となるホルムアルデヒド等の有害成分を除去し室内環境を改善する効果を有している。【００２４】  またさらに、室内の多様な臭気成分に対して優れた消臭効果を有している。また、室内に寄生するノミやダニなどの害虫に対して優れた忌避効果を有している。【００２５】  また、本発明の室内環境改善システムは、防腐剤としての作用も有する天然素材由来の物質であるミルラの抽出物を噴霧することから副作用がなく安全に使用することができる。
【発明を実施するための最良の形態】
【００２６】    以下本発明について具体的に説明する。【００２７】  本発明の室内環境改善システムは、ミルラ樹脂からアルコール及び又は水で抽出して得られるミルラ抽出液を室内に噴霧又は散布することにより実施される。【００２８】  本発明で使用するミルラ樹脂は、ミルラの幹から取れる油性でゴム質の樹脂であり、市販のものを使用でき、乾燥物を好ましく用いることができる。【００２９】  ミルラ樹脂のアルコール及び又は水による抽出とは、アルコール又は水単独で抽出してもよくまたアルコールと水の混合物で抽出しても良い。アルコールとしてはエタノール、ブチルアルコール、メタノールなどのアルコールが使用できるがエタノールが好ましい。エタノールを使用する場合は純エタノールまたはエタノール濃度８０％以上のエタノールが好適に用いられる。【００３０】  ミルラ樹脂の抽出液は、例えば、粉砕したミルラ樹脂を、アルコール及び又は水溶液中に混合し必要に応じて攪拌することにより得ることができる。このようなミルラ樹脂の抽出は、エタノールを使用した場合は、５０℃以下、好ましくは−５℃〜３０℃さらに好ましくは−５℃〜２５℃の温度条件で行うのが好ましい。抽出の温度条件が５０℃を超える場合には、ミルラ樹脂由来の成分のうち、揮発性の高い成分が揮発してしまい、有効成分を充分に活用できない場合があるため５０℃を超えないようにすることが肝要である。【００３１】  また、−５℃より低い場合には、ミルラ樹脂由来の成分の溶解度が低く抽出が不十分な場合があるため極度に低温にしないようにすることが肝要である。エタノールと水の混合物を使用する場合は、エタノール単独に比べエタノールの揮散を抑えることができるため、ミルラ樹脂由来の揮発性の高い成分の揮発が抑制されるので好ましい。【００３２】  また、エタノール以外のアルコールを使用する場合はアルコールの沸点を考慮して、ミルラ樹脂由来の成分の少なくとも一部が抽出される条件を設定すればよい。【００３３】  上述のようにして得られるミルラ樹脂の抽出液の濃度は特に限定されるものではなく、室内に噴霧又は散布する際に水等で希釈してミルラ樹脂由来の成分の濃度を調整すればよい。なおアルコール及び又は水で抽出したミルラ樹脂由来の成分濃度は導入したミルラ樹脂と不溶分として除去したミルラ樹脂の残渣量との重量差により求めることができる。不溶液の除去は、デカンテーション、ろ過、遠心分離などの公知の方法で行うことができる。【００３４】  このようにして得られたミルラ樹脂の抽出液を室内に噴霧又は散布することにより室内の環境を改善する本発明の室内環境改善システムは、シックハウス症候群の原因となるホルムアルデヒド等の有害成分が存在する室内、多様な臭気成分が存在する室内、ノミやダニ等の害虫が寄生している室内の各室内環境に対してもまたこれら複合の室内環境に対しても極めて有効に働くものである。【００３５】  また、本発明の室内環境改善システムは、ホルムアルデヒド、アセトアルデヒド、硫化水素、メチルメルカプタン、アンモニア、酢酸から選択される１種又は２種以上の臭気成分及び又は有害成分が存在する室内環境に対して極めて有効に働くものである。【００３６】  また、室内に噴霧又は散布するミルラ樹脂の抽出液は水などで希釈してミルラ樹脂由来の成分の濃度を０．００１重量％以上の濃度にすることが好ましい。ミルラ樹脂由来の成分濃度が０．００１重量％未満の場合は各室内環境に対する改善効果の発現に時間がかかる場合があるので０．００１重量％以上の濃度にすることが好ましい。【００３７】  このようにして得られたミルラ樹脂の抽出液を室内に噴霧又は散布することにより室内の環境を改善する本発明の室内環境改善システムにおいて、ミルラ樹脂の抽出液は、木酢液、緑茶エキス、ハーブよりなる群から選ばれる１種以上を含有することができる。【００３８】  木酢液、緑茶エキスを混合することでミルラ樹脂由来の成分との相乗効果が発現し、シックハウス症候群の原因となるホルムアルデヒド等の有害成分が存在する室内、多様な臭気成分が存在する室内、ノミやダニ等の害虫が寄生している室内の各室内環境に対して有効に作用し室内環境の改善効果を長時間にわたって持続することができるので好ましい。【００３９】  木酢液は、消臭効果、害虫忌避効果を効率的に促進することができる。また、緑茶エキスは、カテキン類やフラボノイドを含有するため、特に消臭や殺菌作用を効率的に促進することができる。また、ハーブはストレスを低下させたり精神を安定させる効果を発現するので好ましい。【００４０】  このように本発明の室内環境改善システムに用いるミルラ樹脂の抽出液は、天然素材由来の成分を含有しているので副作用がなく安全に使用できる。また、環境にやさしい物質でもある。【００４１】  上述のように、本発明の室内環境改善システムは、ミルラ樹脂の抽出液を室内に噴霧又は散布して室内環境を改善するシステムであるが、噴霧又は散布する手段は特に限定されるものではないが、加湿器、スプレー噐、加熱蒸散噐等のミスト製造噐により行うことができる。【００４２】実施例
以下実施例に基いて本発明をさらに具体的に説明するが、本発明はこれらの実施例に限定されるものではない。
【実施例１】
【００４３】  ミルラ樹脂を乳鉢で粉砕し、１ｇを計り取り５リットルのテドラーバックに入れ、脱気して１時間放置した。このバック内に、既定濃度の有害成分をガス状で３リットル注入し、所定時間経過後に（株）ガステック社の検知管で濃度を測定して有害成分の除去効果を確認した。使用した有害成分はアンモニア、硫化水素、メチルメルカプタン、酢酸、アセトアルデヒド、ホルムアルデヒドである。結果を表１に示す。【００４４】
【表１】
2005296576.tif 000002
【００４５】（結果について）
表１に示したとおり、ミルラ樹脂は、アンモニア、硫化水素に対しては優れた除去効果を有し、酢酸、アセトアルデヒド、ホルムアルデヒドに対しても有効な除去効果があり、メチルメルカプタンに対して一定の除去効果があることが確認された。
【実施例２】
【００４６】  ミルラ樹脂を乳鉢で粉砕し、粉状ミルラ樹脂を得た。得られた粉状のミルラ樹脂１８０ｇを２０℃の純エタノール１０００ｍｌ中に入れ、３時間抽出してろ過し、ミルラ抽出液Ａを得た。この核原液Ａの１．２５ｍｌを水１５０ｍｌに混合し、室内環境改善システムに使用するミルラ樹脂由来の成分濃度が０．０２１重量％の試験用ミルラ抽出液１を得た。この試験用ミルラ抽出液１を用いて有害成分の除去試験を行った。【００４７】  容量１０００ｍｌの三角フラスコに酢酸溶液（エタノールで希釈）２ｍｌを入れ、ガステック社製ガス検知管酢酸用Ｎｏ．８Ｉを用いて、ブランクとして気相中の酢酸濃度を測定した。その後、試験用ミルラ抽出液１の５ｍｌを三角フラスコに入れ１５分静置後同様にして酢酸濃度を測定した。  その結果、ブランクと比較した酢酸の除去率は９８．２％であった。
【実施例３】
【００４８】  容量１０００ｍｌの三角フラスコにアンモニア溶液（エタノールで希釈）１ｍｌを入れ、ガステック社製ガス検知管アンモニア用Ｎｏ．３Ｌａを用いて、ブランクとして気相中のアンモニア濃度を測定した。その後、実施例２と同様の試験用ミルラ抽出液１の５ｍｌを三角フラスコに入れ１５分、３０分、４５分静置後のアンモニア濃度を同様にして測定した。その結果、ブランクと比較したアンモニアの除去率は、１５分後は７３．３％、３０分後は８６．７％、４５分後は１００で％であった。
【実施例４】
【００４９】  ６畳のワンルームマンションに住む独身男性の室内は、日中ほとんど通気されていないため、また、かたずけが出来ていないためカビ臭や生ゴミ臭、タバコ臭、体臭等が入り混じった臭気のする劣悪な室内環境であった。またその部屋にいるとダニで体中がかゆくなる劣悪な室内環境でもあった。この劣悪な室内環境について６〜８畳用の加湿器を用いて室内環境改善効果試験を３０日間行った。【００５０】  実施例２で使用した試験用ミルラ抽出液１を加湿器に入れ、夜間のみ３０日間室内に噴霧した。その結果室内の異臭は殆ど気にならない状態まで改善され、ダニによるかゆみも無くなった。
【実施例５】
【００５１】  容量１０００ｍｌの三角フラスコに硫化水素を入れ、ガステック社製ガス検知管硫化水素用Ｎｏ．４ＬＫを用いて硫化水素濃度を測定したところ４ｐｐｍであった。その後、実施例２で得たミルラ抽出液Ａを水で希釈してミルラ樹脂由来の成分濃度が０．００１重量％に調整したミルラ抽出液の５ｍｌを三角フラスコに入れ３０分静置後の硫化水素濃度を同様にして測定した。その結果、硫化水素濃度は０．５ｐｐｍに減少し除去率は８７．５％であった。
【実施例６】
【００５２】  容量１０００ｍｌの三角フラスコにホルムアルデヒドを入れ、ガステック社製ガス検知管ホルムアルデヒド用Ｎｏ．９１Ｌを用いてホルムアルデヒド濃度を測定したところ１５ｐｐｍであった。その後、実施例２で得たミルラ抽出液Ａを水で希釈してミルラ樹脂由来の成分濃度が０．０５重量％に調整したミルラ抽出液の５ｍｌを三角フラスコに入れ１時間静置後のホルムアルデヒド濃度を同様にして測定した。  その結果、ホルムアルデヒド濃度は２．５ｐｐｍに減少し除去率は８３．３％であった。
【実施例７】
【００５３】  皮膚炎は観察されないが、耳、首周囲、脇腹を噛んだり掻いたりしてノミやダニが寄生した体重約１５ｋｇ雑種メス８才の犬に、実施例２で得たミルラ抽出液Ａを水で希釈してミルラ樹脂由来の成分濃度が０．１重量％に調整したミルラ抽出液をスプレーを用いて１日に３回５日間散布した。その結果、体位部を噛んだり痒がったりする症状が全くなくなりダニやノミは発見されなかった。また、散布前には臭っていた体臭が散布の経過とともに減少し体臭がしなくなった。